(57)【特許請求の範囲】
【請求項１】
チェーンホイールに巻き掛けられたリフトチェーンの外側に油圧ホースを巻き掛けて、前記リフトチェーンを案内部材として油圧ホースを案内支持するようにしたフォークリフトの油圧ホース案内装置において、
リフトチェーンの外周面側に、幅方向の中間部に相当する位置にホース位置決め用の突起部が形成されたホースガイドを装着し、
このホースガイドに対して、二本の油圧ホースが予め一体化された断面略８の字状のホースアセンブリをはめ合わせて案内支持させてなり、
前記ホースガイドは、リフトチェーンを形成している外側のリンクプレートごとに独立していて、それぞれにリンクプレートとともに共締め固定されている一方で、リフトチェーンをまたぐように断面コ字状に形成されたガイド本体の幅方向中央部を外側に突出させることでガイド本体と突起部とが一体に形成されているものであることを特徴とするフォークリフトの油圧ホース案内装置。
【請求項２】
ガイド本体と突起部とが一体に形成されている請求項１に記載のホースガイドに代えて、リフトチェーンをまたぐように断面コ字状に形成されたガイド本体と、このガイド本体の外周面に固定されるとともに突起部が一体形成された樹脂あるいはゴム製のシューとによりホースガイドが構成されていることを特徴とするフォークリフトの油圧ホース案内装置。
【請求項３】
前記ホースガイドには、リフトチェーンの幅方向に沿って所定のピッチで二つの突起部が並設されていて、これら二つの突起部に対応して二組のホースアセンブリを案内支持するようになっていることを特徴とする請求項１または２に記載のフォークリフトの油圧ホース案内装置。
【発明の詳細な説明】
【０００１】
【発明の属する技術分野】
本発明は、フォークリフト（フォークリフトトラック）の油圧ホース案内装置に関し、特にチェーンホイールに巻き掛けられたリフトチェーンを案内部材として、これの外側に各種アタッチメント用の油圧ホースを案内支持させるようにした油圧ホース案内装置に関する。
【０００２】
【従来の技術】
フォークリフトにおける油圧ホース案内装置として、例えば特公平５−６６３１８号公報に示されているように、リフトチェーンを形成している外側のリンクプレートのさらに外側に、突起を有するホースガイドを各別に装着することによって断面略Ｕ字状のホース受容空間部を形成し、このホース受容空間部に沿って油圧ホースを配設したものが知られている。
【０００３】
【発明が解決しようとする課題】
このような従来のホース案内装置では、リフトチェーンの幅方向両側にホースガイドが大きく突出するかたちとなるため、ホースガイドを含むリフトチェーンの最大幅寸法の拡大化に伴いオペレータの前方視界が遮られる結果となって好ましくない。
【０００４】
その上、前述したようにリフトチェーンそのものとその両側のホースガイドとによって断面略Ｕ字状のホース受容空間部が形成されることになるものの、そのホース受容空間部に沿って配設された油圧ホースが直接リフトチェーンと接触するかたちとなるためにホースに傷がつきやすく、油圧ホースの保護ならびに油圧ホースの耐久性向上の上でなおも改善の余地を残している。
【０００５】
本発明は以上のような課題に着目してなされたもので、リフトチェーンそのものを油圧ホースを案内支持する部材として有効利用しながらも、リフトチェーンの最大幅寸法の縮小化によってオペレータの前方視界を改善し、併せて、油圧ホースとリフトチェーンとが直接しないようにして傷つき等から油圧ホースを保護できるようにしたホース案内装置を提供しようとするものである。
【０００６】
【課題を解決するための手段】
請求項１に記載の発明は、チェーンホイールに巻き掛けられたリフトチェーンの外側に油圧ホースを巻き掛けて、前記リフトチェーンを案内部材として油圧ホースを案内支持するようにしたフォークリフトの油圧ホース案内装置において、リフトチェーンの外周面側に、幅方向の中間部に相当する位置にホース位置決め用の突起部が形成されたホースガイドを装着し、このホースガイドに対して、二本の油圧ホースが予め一体化された断面略８の字状のホースアセンブリをはめ合わせて案内支持させてなり、前記ホースガイドは、リフトチェーンを形成している外側のリンクプレートごとに独立していて、それぞれにリンクプレートとともに共締め固定されている一方で、リフトチェーンをまたぐように断面コ字状に形成されたガイド本体の幅方向中央部を外側に突出させることでガイド本体と突起部とが一体に形成されているものであることを特徴としている。
【０００９】
請求項２に記載の発明は、ガイド本体と突起部とが一体に形成されている請求項１に記載のホースガイドに代えて、リフトチェーンをまたぐように断面コ字状に形成されたガイド本体と、このガイド本体の外周面に固定されるとともに前記突起部が一体形成された樹脂あるいはゴム製のシューとによりホースガイドが構成されていることを特徴としている。
【００１０】
請求項３に記載の発明は、請求項１または２に記載の発明におけるホースガイドは、リフトチェーンの幅方向に沿って所定のピッチで二つの突起部が並設されていて、これら二つの突起部に対応して二組のホースアセンブリを案内支持するようになっていることを特徴としている。
【００１１】
したがって、請求項１に記載の発明では、実質的に二本の油圧ホースが予め一体化された断面略８の字状（もしくはまゆ形状）のホースアセンブリの使用を前提とした上で、このホースアセンブリの溝部とはめ合わされるところの突起部を有するホースガイドをリフトチェーンの外周面側に装着しているものであることから、ホースガイドはもちろんのことホースアセンブリがチェーンの幅方向よりも大きく飛び出すことがなくなって、リフトチェーンの最大幅寸法（総幅寸法）をホースガイドを装着しない場合とほぼ同等の幅寸法内におさめることができるようになる。
【００１２】
しかも、ホースガイドが各リンクプレートごとに独立していることにより、リフトチェーンがチェーンホイール部において所定の曲率をもって折り返されたとしても、ホースガイドはリフトチェーンそのものの曲率に無理なく追従することができる。
【００１３】
その上、断面コ字状に曲折形成されたガイド本体に突起部が一体に形成されていることから、その構成部品点数が少なく、特にコストの上で有利となる。
【００１４】
一方、請求項２に記載の発明では、断面コ字状のガイド本体と、突起部を有する樹脂あるいはゴム製のシューとでホースガイドが形成されていることから、油圧ホースとリフトチェーンもしくはガイド本体との直接接触が回避され、油圧ホースの保護の上で有利となる。
【００１５】
さらに、請求項３に記載の発明では、二組のホースアセンブリすなわち合計四本の油圧ホースを案内支持させるものであることから、ホースガイドの幅寸法の大形化によりリフトチェーンの最大幅寸法の増大は余儀なくされるものの、少なくとも一組のホースアセンブリをリフトチェーンに案内支持させることなく独立して配設した場合と比べればオペレータの前方視界を遮る度合も少なくなるばかりでなく、ホースアセンブリ専用のホイールを増設する必要もない。
【００１６】
【発明の効果】
請求項１に記載の発明によれば、幅方向の中間部に突起部を有するホースガイドをリフトチェーンの外周面側に設けて、この突起部にはめ合わせるようにして、二本の油圧ホースが予め一体化されたホースアセンブリを案内支持させるようにしたため、ホースアセンブリはもちろんホースガイドまでもリフトチェーンそのものの幅寸法内におさめることが可能となってオペレータの視界の邪魔となることがなくなり、オペレータの前方視界を大幅に改善できる効果がある。
【００１７】
また、ホースガイドが各リンクプレートごとに独立していることにより、ホースガイドもまたリフトチェーンの曲率に柔軟に追従できる利点がある。
【００１８】
さらに、断面コ字状のガイド本体にホースアセンブリ位置決め用の突起部が一体に形成されているため、部品点数の削減を図りながらそのコストを低減できる効果がある。
【００１９】
請求項２に記載の発明によれば、断面コ字状のガイド本体に、突起部を有する樹脂あるいはゴム製のシューを固定してホースガイドとしたため、請求項１に記載の発明と同様の効果のほかに、ホースアセンブリがシューと接触しているかぎりその傷付きを防止するホース保護機能が発揮されることから、ホースアセンブリの耐久性が向上する効果がある。
【００２０】
請求項３に記載の発明によれば、ホースガイドに二つの突起部を並設して、二本一組のホースアセンブリを二組同時に案内支持させるようにしたため、請求項１，２に記載の発明に比べてホースガイドの幅寸法の拡大化は余儀されるものの、リフトチェーンに案内支持されたホースアセンブリとは別にさらにもう一つのホースアセンブリを独立して配置する場合と比べて、オペレータの視界を改善できる効果がある。
【００２１】
【発明の実施の形態】
図１〜３は本発明の好ましい実施の形態を示す図で、二段マストタイプのフォークリフトに適用した場合の例を示している。
【００２２】
図１，２に示すように、インナマスト２を昇降可能に案内している左右一対のアウタマスト１の外側にそれぞれリフトチェーン３が配設されている。これらのリフトチェーン３はインナマスト２の上部に設けられたチェーンホイール４に巻き掛けられていて、周知のようにその一端はアウタマスト１側に、他端は図示外のリフトブラケットにそれぞれ連結されている。
【００２３】
そして、上記リフトブラケットと一体の図示外のキャリッジ（フィンガバー）に油圧駆動の各種アタッチメントが設けられているものとすると、図１に示すように、その油圧駆動のアタッチメントに付帯する二本の油圧ホース５，５が上記リフトチェーン３を案内部材としてこのリフトチェーン３の外側に巻き掛けられるようにして案内支持されている。
【００２４】
上記リフトチェーン３には断面略コ字状をなす多数のホースガイド６がリフトチェーン３の外周面側をまたぐようにして等ピッチで取り付けられていて、これらのホースガイド６によってリフトチェーン３に沿いつつこれと平行となるように各油圧ホース５，５が案内支持されている。
【００２５】
より詳しくは、ホースガイド６はリフトチェーン３そのものを形成している左右一対の外側配置のリンクプレート（アウトサイドリンクプレート）７に一つの割合でそれぞれ装着されていて、各ホースガイド６は、所定の金属板を断面コ字状に折り曲げてなるガイド本体８の中央のウェブ９に樹脂あるいはゴム等からなるシュー１０を固定することにより形成されている。
【００２６】
そして、ガイド本体８の両側の脚片部１１は各リンクプレート７と重なり合うようにしてピン１２にてそれぞれ共締め固定されている一方、シュー１０の表面の中央部には山形状の突起部１３が一体に形成されていて、さらに突起部１３をはさんでその両側には曲率を上記油圧ホース５のそれと一致させた円弧状の凹部１４が形成されている。
【００２７】
また、上記油圧ホース５，５は二本一組として予め一体成形されていることにより断面が略８の字状（もしくはまゆ形状）をなすホースアセンブリ（もしくはツインホース）１５としてサブアセンブリされているもので、そのホースアセンブリ１５を形成している一対の油圧ホース５，５同士の間には略Ｖ字状の溝部１６が形成されるために、この溝部１６を各ホースガイド６の突起部１３にはめ合わせるようにしてホースアセンブリ１５がリフトチェーン３に案内支持されている。
【００２８】
したがって、本実施の形態によれば、キャリッジもしくはインナマストの昇降動作に応じてチェーンホイール４とリフトチェーン３とが相対移動すれば、そのリフトチェーン３の外側に案内支持されているホースアセンブリ１５はリフトチェーン３に追従してこれと全く同一の動きをする。
【００２９】
この時、図１に示すように、ホースアセンブリ１５側の溝部１６が各ホースガイド６の突起部１３に係合しているために、リフトチェーン３に対してその幅方向にホースアセンブリ１５が移動するのを防止でき、同時にホースアセンブリ１５がリフトチェーン３と直接接触するのを回避することができる。
【００３０】
その上、ホースアセンブリ１５はもちろんのことホースガイド６についてもリフトチェーン３そのものの幅寸法内におさめることが可能であることから、これらリフトチェーン３およびホースアセンブリ１５がオペレータの視界の妨げとなりにくく、オペレータの前方視界を大幅に改善できることになる。
【００３１】
図４は本発明の第２の実施の形態を示す図で、図１と比較すると明らかなように、ホースガイド２６の構成として、断面略コ字状に曲折形成されたガイド本体２８の中央部を膨出させて、ガイド本体２８に突起部２３を一体成形した点で第１の実施の形態と相違している。
【００３２】
この実施の形態の場合には、部品点数の削減によるコストダウンを図る上で特に有利となる。
【００３３】
図５は本発明の第３の実施の形態を示す図で、二組のホースアセンブリ１５，１５を一つのリフトチェーン３に案内支持させるようにしたものである。
【００３４】
すなわち、ガイド本体３８における左右の脚片部２１に対してウェブ１９をリフトチェーン３の幅方向に大きく張り出させた上で、そのウェブ１９上に図１と同様の樹脂あるいはゴム等からなる二つのシュー１０を並設してホースガイド３６を形成してある。
【００３５】
この実施の形態では、ホースガイド３６の変更もしくは交換のみで二組のホースアセンブリ１５，１５を単一のリフトチェーン３に案内支持させることが可能となる。したがって、リフトチェーン３に案内支持されている一組のホースアセンブリ１５とは別にもう一つのホースアセンブリ１５を配設する必要がある場合に、その追加すべきホースアセンブリ１５のためのホース用ホイールの追設が不要であり、単一のリフトチェーン３と二組のホースアセンブリ１５，１５とが並存する場合の視界を改善できる利点がある。
【図面の簡単な説明】
【図１】本発明の第１の実施の形態を示す図で、（Ａ）は図３のａ−ａ線に沿う拡大断面図。
【図２】本発明の第１の実施の形態が適用されるフォークリフトのマストの正面説明図。
【図３】図２のｂ−ｂ線に沿う拡大矢視図。
【図４】本発明の第２の実施の形態を示す要部断面図。
【図５】本発明の第３の実施の形態を示す要部断面図。
【符号の説明】
３…リフトチェーン
４…チェーンホイール
５…油圧ホース
６…ホースガイド
７…リンクプレート
８…ガイド本体
１０…シュー
１３…突起部
１５…ホースアセンブリ
２３…突起部
２６…ホースガイド
２８…ガイド本体
３６…ホースガイド
３８…ガイド本体
【図１】
0003692762.tif 000002
【図２】
0003692762.tif 000003
【図３】
0003692762.tif 000004
【図４】
0003692762.tif 000005
【図５】
0003692762.tif 000006